(57)【要約】【課題】施工性が良好でコストも抑制できる、建物及び建物の構築方法を提供する。【解決手段】本実施例の建物１は、基礎コンクリート１１と、基礎コンクリート１１の上に構築されており、外側面が断熱材１２０で構成された木造の建物１２と、断熱材１２０の外側に組まれた壁鉄筋１３と、壁鉄筋１３のさらに外側に構築された外型枠１４と断熱材１２０との間にコンクリートを打設して形成される壁コンクリート１５と、を備えている。木造の建物１２は、複数の柱１２１、・・・と、柱１２１と柱１２１の間に設置される複数の間柱１２２、・・・と、を有し、断熱材１２０は、柱１２１と柱１２１の間において、間柱１２２に取り付けられるようになっている。【選択図】図１
2018135691.tif 000002
【特許請求の範囲】
【請求項１】
基礎コンクリートと、
前記基礎コンクリートの上に構築されており、外側面が断熱材で構成された木造の建物と、
前記断熱材の外側に組まれた壁鉄筋と、
前記壁鉄筋のさらに外側に構築された外型枠と前記断熱材との間にコンクリートを打設して形成される壁コンクリートと、
を備える、建物。
【請求項２】
前記木造の建物は、複数の柱と、柱と柱の間に設置される複数の間柱と、を有し、
前記断熱材は、前記柱と前記柱の間において、前記間柱に取り付けられるようになっている、請求項１に記載された建物。
【請求項３】
前記柱又は前記間柱には、貫通孔が形成されるとともに、
前記貫通孔には、間隔保持部材が挿通されており、
前記間隔保持部材を介して前記外型枠が固定されるようになっている、請求項１又は請求項２に記載された建物。
【請求項４】
前記基礎コンクリートは、前記木造の建物の土台の幅よりも広く構築されており、
前記基礎コンクリートのうち前記建物の土台の幅よりも外側に、前記基礎コンクリートの上に突出するように基礎鉄筋が埋設され、
前記基礎コンクリートに連続するようにして前記壁コンクリートが形成される、請求項１乃至請求項３のいずれか一項に記載された建物。
【請求項５】
基礎コンクリートを構築する基礎構築ステップと、
前記基礎コンクリートの上に、外側面が断熱材で構成された木造の建物を構築する建物構築ステップと、
前記断熱材の外側に壁鉄筋を組む配筋ステップと、
前記壁鉄筋のさらに外側に外型枠を構築する型枠構築ステップと、
前記断熱材と前記外型枠との間に、コンクリートを打設するコンクリート打設ステップと、を備える、建物の構築方法。
【発明の詳細な説明】
【技術分野】
【０００１】
本発明は、木造の躯体を利用して型枠を組んで、コンクリートを打設する建物に関するものである。
【背景技術】
【０００２】
平成２３年３月１１日に発生した東日本大震災では、津波によって尊い人命が失われるとともに、木造の建物の多くが押し流された。一方で、鉄筋コンクリート造の建物の多くがその形をとどめており、津波に対しては木造の建物よりも耐性が高いといえる。
【０００３】
しかしながら、鉄筋コンクリート造の建物は、木造の建物と比べて著しくコストが高くなる、という問題がある。さらに、コンクリートの無機質な質感を嫌う人も多い。そこで、例えば特許文献１には、中空構造を有する剛性板によって外面が形成された木造建築物の外側に鉄筋コンクリート製の外壁を構築する建物が提案されている。このような構成によって、断熱性に優れ、木の温もりがあり、所定の強度を有し、コストを抑えることができる建物になる、と記載されている。
【先行技術文献】
【特許文献】
【０００４】
【特許文献１】特開２０１３−１４７８１１号公報
【発明の概要】
【発明が解決しようとする課題】
【０００５】
しかしながら、前述した特許文献１の建物では、木造の躯体の外側に中空の剛性板を貼るようになっている。そのため、中空の剛性板を貼る工程が増加されることで、施工性が悪くなるうえコストも高くなってしまう、という問題があった。
【０００６】
そこで、本発明は、施工性が良好でコストも抑制できる、建物及び建物の構築方法を提供することを目的としている。
【課題を解決するための手段】
【０００７】
前記目的を達成するために、本発明の建物は、基礎コンクリートと、前記基礎コンクリートの上に構築されており、外側面が断熱材で構成された木造の建物と、前記断熱材の外側に組まれた壁鉄筋と、前記壁鉄筋のさらに外側に構築された外型枠と前記断熱材との間にコンクリートを打設して形成される壁コンクリートと、を備えている。
【０００８】
また、本発明の建物の構築方法は、基礎コンクリートを構築する基礎構築ステップと、前記基礎コンクリートの上に、外側面が断熱材で構成された木造の建物を構築する建物構築ステップと、前記断熱材の外側に壁鉄筋を組む配筋ステップと、前記壁鉄筋のさらに外側に外型枠を構築する型枠構築ステップと、前記断熱材と前記外型枠との間に、コンクリートを打設するコンクリート打設ステップと、を備えている。
【発明の効果】
【０００９】
このように、本発明の建物は、基礎コンクリートと、外側面が断熱材で構成された木造の建物と、壁鉄筋と、外型枠と、断熱材と外型枠との間に形成される壁コンクリートと、を備えている。このような構成によれば、施工性が良好でコストも抑制できる建物となる。
【００１０】
また、本発明の建物の構築方法は基礎構築ステップと、外側面が断熱材で構成された木造の建物を構築する建物構築ステップと、配筋ステップと、型枠構築ステップと、コンクリート打設ステップと、を備えている。このような構成によれば、施工性が良好でコストも抑制できる建物の構築方法となる。
【図面の簡単な説明】
【００１１】
【図１】建物の壁を水平面に沿って切断した断面図である。
【図２】建物の壁を鉛直面に沿って切断した断面図である。
【図３】基礎構築ステップ終了時の建物について説明する説明図である。
【図４】建物構築ステップ終了時の建物について説明する説明図である。
【図５】配筋ステップ終了時の建物について説明する説明図である。
【図６】型枠構築ステップ終了時の建物について説明する説明図である。
【図７】コンクリート打設ステップ終了時の建物について説明する説明図である。
【図８】施工終了時の建物の説明図である。
【発明を実施するための形態】
【００１２】
以下、本発明の実施の形態について図面を参照して説明する。ただし、本発明の具体的な実施態様は、ここで説明する実施形態や実施例に限定されるものではない。
【実施例】
【００１３】
（建物の構成）
まず、図１、図２、及び図８を用いて本発明の建物１の全体構成を説明する。本発明の建物１は、基礎コンクリート１１と、基礎コンクリート１１の上に構築されており、外側面が断熱材１２０で構成された木造の建物１２と、断熱材１２０の外側に組まれた壁鉄筋１３と、壁鉄筋１３のさらに外側に構築された外型枠１４と断熱材１２０との間にコンクリートを打設して形成される壁コンクリート１５と、を備えている。
【００１４】
基礎コンクリート１１は、底版部と、底版部の周囲に構築された立ち上がり部と、を有して形成される「べた基礎」である。なお、本実施例では、基礎コンクリート１１は、「べた基礎」であるとして説明するが、これに限定されるものではなく、底版部が設けられていない「布基礎」であってもよい。さらに、基礎コンクリート１１に加えて杭基礎を構築して基礎コンクリート１１と一体化させることも好ましい。
【００１５】
そして、本実施例の基礎コンクリート１１の幅は、木造の建物１２の土台１２５の幅よりも広く構築されており、基礎コンクリート１１のうち木造の建物１２の土台１２５の幅よりも外側に、基礎コンクリート１１の上に突出するように基礎鉄筋１１１が埋設され、基礎コンクリート１１の上方に連続するようにして、壁コンクリート１５が形成されるようになっている。
【００１６】
木造の建物１２は、基礎コンクリート１１の上に設置される土台１２５と、土台１２５の上に立設される柱１２１及び間柱１２２と、間柱１２２の外面に取り付けられる断熱材１２０と、間柱１２２の内面に取り付けられる内装材１２４と、を備えて構成される。すなわち、木造の建物１２は、外装材を取り付けられていない状態である。
【００１７】
このうち、間柱１２２の幅は、柱１２１の幅と比べて断熱材１２０の厚さの分だけ狭くされている。したがって、間柱１２２に断熱材１２０を取り付けた状態では、柱１２１の外面と、断熱材１２０の外面と、が同一平面をなすようになっている。さらに、間柱１２２の間隔は、後述するように断熱材１２０を内型枠として使用した際に、断熱材が変形しにくいこと、及び、コンクリートの圧力を支持できること、を考慮して決定される。
【００１８】
断熱材１２０は、（硬質）発泡ウレタンフォームなどを含む発泡樹脂を、数十ｍｍ程度の厚さの板状に成形して形成されるものである。断熱材１２０の外面には、不織布などの透湿防水シートをさらに設置することもできる。断熱材１２０は、後述するように、内型枠としての機能も有する。
【００１９】
壁鉄筋１３は、内型枠としての断熱材１２０の外側であって、外型枠１４の内側に、両側から所定のかぶり厚を保持して設置される。したがって、壁コンクリート１５が固化した状態では、壁鉄筋１３は幅（厚さ）の略中央に配置されることになる。また、壁鉄筋１３の下部は、基礎コンクリート１１から突出した基礎鉄筋１１１とラップされた状態で結束される。なお、壁鉄筋１３の配置は、１列に限定されるものではなく、内側と外側の２列であってもよい。
【００２０】
壁コンクリート１５は、壁鉄筋１３のさらに外側に構築された外型枠１４と断熱材１２０との間にコンクリートを打設して形成される。すなわち、壁コンクリート１５を構築する際には、内型枠として断熱材１２０が利用される。そして、壁コンクリート１５は、基礎コンクリート１１のうち建物１２の土台１２５の幅よりも外側に、基礎コンクリート１１に連続するように形成される。したがって、壁コンクリート１５は、壁鉄筋１３及び基礎鉄筋１１１を介して、基礎コンクリート１１と一体に形成される。
【００２１】
（建物の構築方法）
次に、図３−８を用いて、本実施例の建物１の構築方法について説明する。以下では、建物の構築方法を、基礎構築ステップＳ１、建物構築ステップＳ２、配筋ステップＳ３、型枠構築ステップＳ４、及び、コンクリート打設ステップＳ５に分けて説明する。
【００２２】
基礎構築ステップＳ１は、図３に示すように、立ち上がり部の幅を広くして基礎コンクリート１１を構築する工程である。すなわち、立ち上がり部の幅は、木材からなる土台１２５の幅よりも広くされており、土台１２５の外側には壁コンクリート１５（後述）の幅と同一幅の平坦面が形成されている。基礎コンクリート１１は、型枠内に基礎鉄筋１１１を配置した状態でコンクリートを打設し、養生後に脱型枠して構築される。基礎構築ステップＳ１が完了すると、図３に示すように、基礎鉄筋１１１が、基礎コンクリート１１の立ち上がり部の上面よりも上方に突出した状態となっている。
【００２３】
建物構築ステップＳ２は、図４に示すように、基礎コンクリート１１の立ち上がり部の上に、外側面が断熱材１２０で構成された木造の建物１２を建築する工程である。建物構築ステップＳ２は、基礎コンクリート１１の上に土台１２５を設置するステップと、土台１２５の上に柱１２１及び間柱１２２を立設するステップと、間柱１２２の外面に断熱材１２０を取り付けるステップと、間柱１２２の内面に内装材１２４を取り付けるステップと、を備えて構成される。ただし、内装材１２４は、壁コンクリート１５の施工が完了した時点で設置するようにしてもよい。
【００２４】
この建物構築ステップＳ２の完了時において、木造の建物１２は、外壁まで構築されるものではなく、断熱材１２０が露出された状態となっている。ただし、木造の建物１２の具体的な工法は限定されるものではない。また、後述する配筋ステップ以後の各ステップは、建物構築ステップＳ２の全工程が完了していなくても開始することができる。つまり、少なくとも木造の建物１２の外側面に断熱材１２０が貼設された状態であれば以後の各ステップ（Ｓ３〜Ｓ５）を開始することができる。
【００２５】
配筋ステップＳ３は、図５に示すように、断熱材１２０の外側に壁鉄筋１３を組む工程である。配筋ステップＳ３では、図５に示すように、基礎コンクリート１１から突出した基礎鉄筋１１１に必要なラップ長を重ねた状態で、壁鉄筋１３を断熱材１２０の外側に組み立てていく。間隔保持部材２０（セパレータ）を利用して、壁鉄筋１３を所定の位置に保持するようにすることも好ましい。
【００２６】
型枠構築ステップＳ４は、図６に示すように、壁鉄筋１３のさらに外側に外型枠１４を構築する工程である。型枠構築ステップＳ４では、間柱１２２又は柱１２１に設けた貫通孔１２３に挿通された間隔保持部材２０（セパレータ）によって、外型枠１４が固定される。型枠構築ステップＳ４では、基礎コンクリート１１の立ち上がり部の外面に沿わせるようにして、壁鉄筋１３よりもさらに外側に、外型枠１４を鉛直に立てる。外型枠１４としては、例えば合板（コンパネ）を使用することができるが、建物１の完成後に外型枠１４を残置する場合には、サイディングボードなどを使用することもできる。
【００２７】
コンクリート打設ステップＳ５は、図７に示すように、基礎コンクリート１１の上であって、断熱材１２０と外型枠１４との間に、コンクリートを打設する工程である。このコンクリート打設ステップＳ５では、壁コンクリート１５の高さが高い場合には、コンクリートを所定の高さごとに数回に分けて打設することができる。コンクリートとしては、軽量コンクリート、普通コンクリート、重量コンクリートなど、各種のものを使用することができる。コンクリート打設ステップＳ５が完了すると、コンクリート養生ステップを開始してコンクリートを養生する。
【００２８】
（効果）
次に、本実施例の建物１、及び、建物の構築方法の奏する効果について説明する。
【００２９】
（１）上述してきたように、本実施例の建物１は、基礎コンクリート１１と、基礎コンクリート１１の上に構築されており、外側面が断熱材１２０で構成された木造の建物１２と、断熱材１２０の外側に組まれた壁鉄筋１３と、壁鉄筋１３のさらに外側に構築された外型枠１４と断熱材１２０との間にコンクリートを打設して形成される壁コンクリート１５と、を備えている。このような構成によれば、施工性が良好でコストも抑制できる建物１となる。加えて、建築確認を木造として申請できる、内型枠が不要である、木造躯体を利用するため鉄筋や外型枠の施工が容易である、基礎コンクリート１１と一体となり壁式ＲＣと同等の強度が期待できる、木造建築の工務店でも施工できる、といった利点も有する。
【００３０】
（２）また、木造の建物１２は、複数の柱１２１、・・・と、柱１２１と柱１２１の間に設置される複数の間柱１２２、・・・と、を有し、断熱材１２０は、柱１２１と柱１２１の間において、間柱１２２に取り付けられるようになっている。このような構成によれば、内型枠として断熱材１２０を利用することができるため、別個の構成として内型枠をさらに備える必要がない。さらに、この場合、間柱１２２の厚みを薄くして、薄くした厚みに相当する断熱材１２０を使用すれば、壁コンクリート１５を打設した際に断熱材１２０を背面から支持することができる。
【００３１】
（３）さらに、柱１２１又は間柱１２２には、貫通孔１２３が形成されるとともに、貫通孔１２３には、間隔保持部材２０が挿通されており、間隔保持部材２０を介して外型枠１４が固定されるようになっている。このような構成によれば、間隔保持部材２０によって、容易に外型枠１４を配置することができる。
【００３２】
（４）また、基礎コンクリート１１は、木造の建物１２の土台１２５の幅よりも広く構築されており、基礎コンクリート１１のうち建物１２の土台１２５の幅よりも外側に、基礎コンクリート１１の上に突出するように基礎鉄筋１１１が埋設され、基礎コンクリート１１に連続するようにして壁コンクリート１５が形成される。このような構成によれば、基礎コンクリート１１と壁コンクリート１５とが、基礎鉄筋１１１及び壁鉄筋１３を介して、一体化するようになる。
【００３３】
（５）また、本実施例の建物の構築方法は、基礎コンクリート１１を構築する基礎構築ステップＳ１と、基礎コンクリート１１の上に、外側面が断熱材１２０で構成された木造の建物１２を構築する建物構築ステップＳ２と、断熱材１２０の外側に壁鉄筋１３を組む配筋ステップＳ３と、壁鉄筋１３のさらに外側に外型枠１４を構築する型枠構築ステップＳ４と、断熱材１２０と外型枠１４との間に、コンクリートを打設するコンクリート打設ステップＳ５と、を備えている。このような構成によれば、施工性が良好でコストも抑制できる建物１となる。すなわち、加えて、建築確認を木造として申請できる、内型枠が不要である、木造躯体を利用するため鉄筋や外型枠の施工が容易である、基礎コンクリート１１と一体となり壁式ＲＣと同等の強度が期待できる、木造建築の工務店でも施工できる、といった利点も有する。
【００３４】
以上、図面を参照して、本発明の実施例を詳述してきたが、具体的な構成は、この実施例に限らず、本発明の要旨を逸脱しない程度の設計的変更は、本発明に含まれる。
【符号の説明】
【００３５】
１          建物
１１        基礎コンクリート
１１１      基礎鉄筋
１２        木造の建物
１２０      断熱材
１２１      柱
１２２      間柱
１２３      貫通孔
１２４      内装材
１２５      土台
１３        壁鉄筋
１４        外型枠
１５        壁コンクリート
２０        間隔保持部材
【図１】
2018135691.tif 000003
【図２】
2018135691.tif 000004
【図３】
2018135691.tif 000005
【図４】
2018135691.tif 000006
【図５】
2018135691.tif 000007
【図６】
2018135691.tif 000008
【図７】
2018135691.tif 000009
【図８】
2018135691.tif 000010